(57)【要約】【課題】フォトフレームなどの表示端末を複数台近接して配置した場合に、各表示端末にて表示される各画像を、全体として連続性のある調和のとれた表示にする。【解決手段】画像表示サーバ［Ｓ］１０は、複数台のフォトフレーム端末［Ｆ１］２０ａ，［Ｆ２］２０ｂ，…各々の位置情報“ｐ０１３”“ｐ０１５”…を受信し、相互に近接した所定範囲に含まれる端末［Ｆ１］２０ａ，［Ｆ２］２０ｂ，…同士をグループ化“ｇ００１”“ｇ００２”…して管理する。そして、同一グループ内の各端末［Ｆ１］２０ａ，［Ｆ２］２０ｂ，…に対応して、グループ毎に同じ画像テーマ（風景画／人物画／被写体別画像など）内で順次更新される端末数分の一連（例えば撮影日時順）の各画像が画像記憶部から読み出され、グループ毎に同じ変換種の画像変換が施された後、この一連の各画像が各対応する端末［Ｆ１］２０ａ，［Ｆ２］２０ｂ，…に送信されて表示される。【選択図】      図１
2012098835.tif 000002
【特許請求の範囲】
【請求項１】
複数の画像を記憶する画像記憶手段と、
複数の端末装置の位置情報を取得する位置情報取得手段と、
この位置情報取得手段により取得された各端末装置の位置情報に基づき、互いに近接する端末装置のグループを判別する端末グループ判別手段と、
この端末グループ判別手段により判別された端末装置のグループ毎に、当該グループ内の各端末装置の数を検出するグループ内端末数検出手段と、
前記端末グループ判別手段により判別された端末装置のグループ毎に、画像を再生するタイミングを設定する再生タイミング設定手段と、
前記端末グループ判別手段により判別された端末装置のグループ毎に、前記再生タイミング設定手段により設定された再生タイミングが来る都度、当該グループ内の各端末装置に対応付けて、前記画像記憶手段に記憶された画像の中から前記グループ内端末数検出手段により検出された端末数分の一連の各画像を順次再生画像として指定する再生画像指定手段と、
この再生画像指定手段により指定された各端末装置の各々に対応する一連の各再生画像を前記画像記憶手段に記憶された画像の中から読み出し、各対応する端末装置へ出力して表示させる画像出力手段と、
を備えたことを特徴とする画像表示装置。
【請求項２】
前記複数の端末装置の表示画面の方向情報を取得する方向情報取得手段と、
前記端末グループ判別手段により判別された端末装置のグループ毎に、前記方向情報取得手段により取得された各端末装置の方向に応じた画像テーマの種類を設定する画像テーマ設定手段とを備え、
前記画像記憶手段は、複数種類の画像テーマに分類された画像を記憶し、
前記再生画像指定手段は、前記端末グループ判別手段により判別された端末装置のグループ毎に、前記再生タイミング設定手段により設定された再生タイミングが来る都度、当該グループ内の各端末装置に対応付けて、前記画像テーマ設定手段により設定された画像テーマに分類されて前記画像記憶手段に記憶された画像の中から前記グループ内端末数検出手段により検出された端末数分の一連の各画像を順次再生画像として指定する、
ことを特徴とする請求項１に記載の画像表示装置。
【請求項３】
前記複数の端末装置の表示画面の方向情報を取得する方向情報取得手段と、
前記端末グループ判別手段により判別された端末装置のグループ毎に、前記方向情報取得手段により取得された各端末装置の方向に応じた画像変換の種類を設定する変換種類設定手段とを備え、
前記画像出力手段は、
前記再生画像指定手段により指定された各端末装置の各々に対応する一連の各再生画像を前記画像記憶手段に記憶された画像の中から読み出し、前記変換種類設定手段により設定された種類の画像変換により当該画像を変換する画像変換手段を有し、
この画像変換手段により変換された一連の各再生画像を各対応する端末装置へ出力して表示させる、
ことを特徴とする請求項１に記載の画像表示装置。
【請求項４】
前記画像出力手段は、一連の各再生画像を同じグループの各端末装置へ順次所定時間毎にずらして出力して表示させることを特徴とする請求項１に記載の画像表示装置。
【請求項５】
前記位置情報取得手段は、所定時間毎に複数の端末装置の位置情報を取得し、
前記端末グループ判別手段は、前記位置情報取得手段により所定時間毎に取得された各端末装置の位置情報に基づき、互いに近接する端末装置のグループを判別する、
ことを特徴とする請求項１に記載の画像表示装置。
【請求項６】
複数の端末装置との通信機能を有する電子機器のコンピュータを制御するためのプログラムであって、
前記コンピュータを、
複数の画像をメモリに記憶させる画像記憶手段、
複数の端末装置の位置情報を取得する位置情報取得手段、
この位置情報取得手段により取得された各端末装置の位置情報に基づき、互いに近接する端末装置のグループを判別する端末グループ判別手段、
この端末グループ判別手段により判別された端末装置のグループ毎に、当該グループ内の各端末装置の数を検出するグループ内端末数検出手段、
前記端末グループ判別手段により判別された端末装置のグループ毎に、画像を再生するタイミングを設定する再生タイミング設定手段、
前記端末グループ判別手段により判別された端末装置のグループ毎に、前記再生タイミング設定手段により設定された再生タイミングが来る都度、当該グループ内の各端末装置に対応付けて、前記画像記憶手段に記憶された画像の中から前記グループ内端末数検出手段により検出された端末数分の一連の各画像を順次再生画像として指定する再生画像指定手段、
この再生画像指定手段により指定された各端末装置の各々に対応する一連の各再生画像を前記画像記憶手段に記憶された画像の中から読み出し、各対応する端末装置へ出力して表示させる画像出力手段、
として機能させるためのプログラム。
【発明の詳細な説明】
【技術分野】
【０００１】
本発明は、フォトフレームなどの表示機器を利用した画像表示装置およびその制御プログラムに関する。
【背景技術】
【０００２】
近年、フォトフレームが実用化され一般家庭をはじめ様々な場所で利用されている。
【０００３】
フォトフレームは、高画質で容易に複数の画像を切り替えて表示させることができるため、絵画に代わるインテリアとしての利用も高まっている。
【０００４】
そこで、前記フォトフレームに表示させる画像を変化させて楽しむために、例えば写真撮影された原画像の画像データを処理して水彩画調の画像や水墨画調の画像などに変換する技術の利用が考えられる（例えば、特許文献１、特許文献２参照。）。
【０００５】
一方、ロビーや室内等に複数台のフォトフレームを近接して配置する場合に、各フォトフレームが表示する各画像は何の関連性もなく、独自の画像を表示することになるが、表示される各画像が違いすぎると違和感を生じてしまう。
【０００６】
また、例えば複数台のフォトフレームに表示させる各画像を読み出す画像記憶領域が同じである場合、重複した画像を表示させてしまう可能性もある。
【０００７】
そこで、複数台のフォトフレームを近接して配置する場合に、当該複数台のフォトフレームの全体で１枚の画像が表現されるように、各フォトフレームにその数に応じて分割した画像をそれぞれ与え、当該画像のスクロール等において連携して表示させる技術の利用が考えられる（例えば、特許文献３参照。）。
【０００８】
また、複数台のフォトフレーム間で画像が重複した場合には、その都度、画像を変更して表示させる技術の利用が考えられる（例えば、特許文献４参照。）。
【先行技術文献】
【特許文献】
【０００９】
【特許文献１】特開平０８−０４４８６７号公報
【特許文献２】特開平１１−１２０３３４号公報
【特許文献３】特開２００９−１００４７０号公報
【特許文献４】特開２００８−２０３８４６号公報
【発明の概要】
【発明が解決しようとする課題】
【００１０】
従来、ロビーや室内等に複数台のフォトフレームを近接して配置する場合に、当該複数台のフォトフレームの全体で１枚の画像が表現されるように、連携して表示させることが考えられているが、この場合には、１台のフォトフレームで複数の画像を表示できるという、フォトフレーム本来の特徴を生かし切ることができない。
【００１１】
また、例えばギャラリーのように、複数台のフォトフレームをある空間の中で近接して配置した場合、鑑賞者はその全体を眺めることがあるが、フォトフレームに表示されている各画像がバラバラに異なれば、隣接する各フォトフレーム間で連続性のある調和のとれた画像を楽しむことができない。
【００１２】
本発明は、このような課題に鑑みなされたもので、複数台の表示端末を近接して配置した場合に、各表示端末にて表示される各画像を、全体として連続性のある調和のとれた表示にすることが可能になる画像表示装置およびその制御プログラムを提供することを目的とする。
【課題を解決するための手段】
【００１３】
請求項１に記載の画像表示装置は、複数の画像を記憶する画像記憶手段と、複数の端末装置の位置情報を取得する位置情報取得手段と、この位置情報取得手段により取得された各端末装置の位置情報に基づき、互いに近接する端末装置のグループを判別する端末グループ判別手段と、この端末グループ判別手段により判別された端末装置のグループ毎に、当該グループ内の各端末装置の数を検出するグループ内端末数検出手段と、前記端末グループ判別手段により判別された端末装置のグループ毎に、画像を再生するタイミングを設定する再生タイミング設定手段と、前記端末グループ判別手段により判別された端末装置のグループ毎に、前記再生タイミング設定手段により設定された再生タイミングが来る都度、当該グループ内の各端末装置に対応付けて、前記画像記憶手段に記憶された画像の中から前記グループ内端末数検出手段により検出された端末数分の一連の各画像を順次再生画像として指定する再生画像指定手段と、この再生画像指定手段により指定された各端末装置の各々に対応する一連の各再生画像を前記画像記憶手段に記憶された画像の中から読み出し、各対応する端末装置へ出力して表示させる画像出力手段と、を備えたことを特徴としている。
【００１４】
請求項２に記載の画像表示装置は、前記請求項１に記載の画像表示装置において、前記複数の端末装置の表示画面の方向情報を取得する方向情報取得手段と、前記端末グループ判別手段により判別された端末装置のグループ毎に、前記方向情報取得手段により取得された各端末装置の方向に応じた画像テーマの種類を設定する画像テーマ設定手段とを備え、前記画像記憶手段は、複数種類の画像テーマに分類された画像を記憶し、前記再生画像指定手段は、前記端末グループ判別手段により判別された端末装置のグループ毎に、前記再生タイミング設定手段により設定された再生タイミングが来る都度、当該グループ内の各端末装置に対応付けて、前記画像テーマ設定手段により設定された画像テーマに分類されて前記画像記憶手段に記憶された画像の中から前記グループ内端末数検出手段により検出された端末数分の一連の各画像を順次再生画像として指定する、ことを特徴としている。
【００１５】
請求項３に記載の画像表示装置は、前記請求項１に記載の画像表示装置において、前記複数の端末装置の表示画面の方向情報を取得する方向情報取得手段と、前記端末グループ判別手段により判別された端末装置のグループ毎に、前記方向情報取得手段により取得された各端末装置の方向に応じた画像変換の種類を設定する変換種類設定手段とを備え、前記画像出力手段は、前記再生画像指定手段により指定された各端末装置の各々に対応する一連の各再生画像を前記画像記憶手段に記憶された画像の中から読み出し、前記変換種類設定手段により設定された種類の画像変換により当該画像を変換する画像変換手段を有し、この画像変換手段により変換された一連の各再生画像を各対応する端末装置へ出力して表示させる、ことを特徴としている。
【００１６】
請求項４に記載の画像表示装置は、前記請求項１に記載の画像表示装置において、前記画像出力手段は、一連の各再生画像を同じグループの各端末装置へ順次所定時間毎にずらして出力して表示させることを特徴としている。
【００１７】
請求項５に記載の画像表示装置は、前記請求項１に記載の画像表示装置において、前記位置情報取得手段は、所定時間毎に複数の端末装置の位置情報を取得し、前記端末グループ判別手段は、前記位置情報取得手段により所定時間毎に取得された各端末装置の位置情報に基づき、互いに近接する端末装置のグループを判別する、ことを特徴としている。
【００１８】
請求項６に記載のプログラムは、複数の端末装置との通信機能を有する電子機器のコンピュータを制御するためのプログラムであって、前記コンピュータを、複数の画像をメモリに記憶させる画像記憶手段、複数の端末装置の位置情報を取得する位置情報取得手段、この位置情報取得手段により取得された各端末装置の位置情報に基づき、互いに近接する端末装置のグループを判別する端末グループ判別手段、この端末グループ判別手段により判別された端末装置のグループ毎に、当該グループ内の各端末装置の数を検出するグループ内端末数検出手段、前記端末グループ判別手段により判別された端末装置のグループ毎に、画像を再生するタイミングを設定する再生タイミング設定手段、前記端末グループ判別手段により判別された端末装置のグループ毎に、前記再生タイミング設定手段により設定された再生タイミングが来る都度、当該グループ内の各端末装置に対応付けて、前記画像記憶手段に記憶された画像の中から前記グループ内端末数検出手段により検出された端末数分の一連の各画像を順次再生画像として指定する再生画像指定手段、この再生画像指定手段により指定された各端末装置の各々に対応する一連の各再生画像を前記画像記憶手段に記憶された画像の中から読み出し、各対応する端末装置へ出力して表示させる画像出力手段、として機能させることを特徴としている。
【発明の効果】
【００１９】
本発明によれば、複数台の表示端末を近接して配置した場合に、各表示端末にて表示される各画像を、全体として連続性のある調和のとれた表示にすることが可能になる画像表示装置およびその制御プログラムを提供できる。
【図面の簡単な説明】
【００２０】
【図１】本発明の画像表示装置の実施形態に係る画像表示サーバ１０を備えた画像表示システムの全体構成を示すブロック図。
【図２】前記画像表示システムにおける画像表示サーバ［Ｓ］１０の電子回路の構成を示すブロック図。
【図３】前記画像表示サーバ［Ｓ］１０の画像記憶部１３に記憶される画像データの内容を示す図。
【図４】前記画像表示サーバ［Ｓ］１０の各種テーブル記憶部１４に記憶されるグループテーブル１４ａを示す図。
【図５】前記画像表示サーバ［Ｓ］１０のグループテーブル１４ａに記憶される各フォトフレーム端末［Ｆ１］２０ａ，［Ｆ２］Ｆ２，…の方向情報を説明する図。
【図６】前記画像表示サーバ［Ｓ］１０の各種テーブル記憶部１４に記憶される変換テーブル１４ｂを示す図。
【図７】前記画像表示サーバ［Ｓ］１０の各種テーブル記憶部１４に記憶される端末画像テーブル１４ｃを示す図。
【図８】前記画像表示システムにおけるフォトフレーム端末［Ｆ］２０の電子回路の構成を示すブロック図。
【図９Ａ】前記画像表示システムの画像表示サーバ［Ｓ］１０による端末グループ生成処理（その１）を示すフローチャート。
【図９Ｂ】前記画像表示システムの画像表示サーバ［Ｓ］１０による端末グループ生成処理（その２）を示すフローチャート。
【図１０】前記画像表示システムの画像表示サーバ［Ｓ］１０による画像出力処理を示すフローチャート。
【図１１】前記画像表示サーバ［Ｓ］１０の画像出力処理に伴い同一グループ内の各フォトフレーム端末［Ｆ１］［Ｆ２］［Ｆ３］にて所定の再生時間毎に更新されて表示される一連の再生画像データを説明する図。
【図１２】前記画像表示システムの各フォトフレーム端末［Ｆ１］２０ａ，［Ｆ２］Ｆ２，…による端末処理を示すフローチャート。
【図１３】前記画像表示サーバ［Ｓ］１０の各種テーブル記憶部１４に記憶される端末配置方向／画像テーマ設定テーブル１４Ｔを示す図。
【図１４】前記画像表示サーバ［Ｓ］１０の各種テーブル記憶部１４に記憶される端末配置方向／画像変換種設定テーブル１４Ｈを示す図。
【発明を実施するための形態】
【００２１】
以下図面により本発明の実施の形態について説明する。
【００２２】
図１は、本発明の画像表示装置の実施形態に係る画像表示サーバ１０を備えた画像表示システムの全体構成を示すブロック図である。
【００２３】
この画像表示システムは、画像表示サーバ［Ｓ］１０と、この画像表示サーバ［Ｓ］１０と相互に通信する機能を有する複数台のフォトフレーム端末［Ｆ１］２０ａ，［Ｆ２］２０ｂ，…とを備えて構成される。
【００２４】
複数台のフォトフレーム端末［Ｆ１］２０ａ，［Ｆ２］２０ｂ，…は、会社やホテルのロビーなど、人が出入りする空間の適宜な位置に配置される。
【００２５】
各フォトフレーム端末［Ｆ１］２０ａ，［Ｆ２］２０ｂ，…は、画像を表示する機能に加え、ＧＰＳ(Global Positioning System)などの自己の位置を計測する機能、方位センサなどの表示部の表示画面の向きを示す表示方向を検出する機能を備え、同図中の（ｐ０１３）（ｐ０１５）（ｐ０１６）（ｐ０２１）（ｐ０２２）（ｐ０２８）は当該各端末［Ｆ１］２０ａ〜［Ｆ６］２０ｆにて検出された位置情報を示している。
【００２６】
画像表示サーバ［Ｓ］１０は、各フォトフレーム端末［Ｆ１］２０ａ〜［Ｆ６］２０ｆから受信される位置情報（ｐ０１３）…（ｐ０２８）に基づき、予め設定された相互に近接する範囲内に配置された各端末同士をグループ化して管理する。
【００２７】
ここでは、端末［Ｆ１］２０ａ〜［Ｆ３］２０ｃをグループ情報“ｇ００１”、端末［Ｆ４］２０ｄ，［Ｆ５］２０ｅをグループ情報“ｇ００２”、端末［Ｆ６］２０ｆをグループ情報“ｇ００３”として管理する。
【００２８】
なお、同図中のフォトフレーム端末［Ｆ３］２０ｃは、前記画像表示サーバ［Ｓ］１０のグループ情報“ｇ００１”にて管理される範囲内に、途中その範囲外から移動されて配置されたイメージを示している。
【００２９】
図２は、前記画像表示システムにおける画像表示サーバ［Ｓ］１０の電子回路の構成を示すブロック図である。
【００３０】
この画像表示サーバ［Ｓ］１０は、例えばＰＣ(Personal Computer)を用いて構成され、コンピュータであるＣＰＵ(Central Processing Unit)１１を備えている。
【００３１】
このＣＰＵ１１には、記憶部１２、画像記憶部１３、各種テーブル記憶部１４、時計回路１５、入力部１６、通信部１７、表示部１８が接続される。
【００３２】
前記ＣＰＵ１１は、前記記憶部１２に記憶されたサーバ制御プログラム、あるいはＣＤ−ＲＯＭなどの記録媒体から記憶部１２に読み込まれたサーバ制御プログラム、あるいは通信ネットワーク上のプログラムサーバからダウンロードされて記憶部１２に読み込まれたサーバ制御プログラムに従い回路各部の動作を制御する。
【００３３】
図３は、前記画像表示サーバ［Ｓ］１０の画像記憶部１３に記憶される画像データの内容を示す図である。
【００３４】
この画像記憶部１３には、例えばデジタルカメラにより撮影された多種多様な画像データが、風景画像，人物画像，被写体別画像、撮影年月日別画像などの任意の画像テーマＴ１１，Ｔ２１，Ｔ３１，…に分類され、その画像テーマＴ１１，Ｔ２１，Ｔ３１，…毎に多数の画像データＱ１１−Ｑ１ｎ，Ｑ２１−Ｑ２ｎ，Ｑ３１−Ｑ３ｎ，…が記憶される。
【００３５】
図４は、前記画像表示サーバ［Ｓ］１０の各種テーブル記憶部１４に記憶されるグループテーブル１４ａを示す図である。
【００３６】
このグループテーブル１４ａには、本画像表示サーバ［Ｓ］１０の管理対象である各フォトフレーム端末［Ｆ１］２０ａ，［Ｆ２］２０ｂ，…の端末識別情報“００５３”“０１５３”…に対応付けて、通信部１７を介して所定時間毎に受信される各端末［Ｆ１］２０ａ，［Ｆ２］２０ｂ，…の位置情報“ｐ０１３”“ｐ０１５”…、現方向情報“ｎ０４０”“ｎ０４５”…と前方向情報、グループ情報“ｇ００１”…、該グループ情報“ｇ００１”…を生成するための仮グループ情報“ｋ００１”…が記憶される。
【００３７】
図５は、前記画像表示サーバ［Ｓ］１０のグループテーブル１４ａに記憶される各フォトフレーム端末［Ｆ１］２０ａ，［Ｆ２］Ｆ２，…の方向情報を説明する図である。
【００３８】
各フォトフレーム端末［Ｆ１］２０ａ，［Ｆ２］Ｆ２，…の方向情報は、方位センサにより北（Ｎ）を基準にして時計回りになす角度として検出されるもので、同図のフォトフレーム端末［Ｆ１］２０ａの方向情報“ｎ１７０”は、その表示方向が北（Ｎ）から時計回りに１７０度回転した向きにあることを示し、表示部の表示画面の向きが北（Ｎ）から時計回りに１７０度回転した向きが正面になる。フォトフレーム端末［Ｆ２］２０ｂの方向情報“ｎ１８０”は、その表示方向が北（Ｎ）から時計回りに１８０度回転した向きにあることを示し、表示部の表示画面の向きが北（Ｎ）から時計回りに１８０度回転した向きが正面になる。
【００３９】
なお、図４に示すグループテーブル１４ａにおいて、フォトフレーム端末［Ｆ３］２０ｃの端末識別情報“００２１”に対応するところのグループ情報がブランク“−”なのはグループ情報が設定される前の状態を示している。
【００４０】
図６は、前記画像表示サーバ［Ｓ］１０の各種テーブル記憶部１４に記憶される変換テーブル１４ｂを示す図である。
【００４１】
この変換テーブル１４ｂには、本画像表示サーバ［Ｓ］１０の管理対象であるグループ情報“ｇ００１”“ｇ００２”…毎に、該当グループ（例えば“ｇ００１”）内の各フォトフレーム端末（［Ｆ１］２０ａ〜［Ｆ３］２０ｃ）に表示させる画像の変換種と変換順（［水彩画］→［水墨画］→…）、現在の変換種（［水墨画］）、予め設定された１回の再生時間（初期値）、残り再生時間が記憶される。
【００４２】
図７は、前記画像表示サーバ［Ｓ］１０の各種テーブル記憶部１４に記憶される端末画像テーブル１４ｃを示す図である。
【００４３】
この端末画像テーブル１４ｃには、本画像表示サーバ［Ｓ］１０の管理対象である各グループ情報“ｇ００１”…毎の端末識別情報“００５３”“０１５３”…に対応付けて、当該端末［Ｆ１］２０ａ，［Ｆ２］２０ｂ，…にて再生すべき現在の画像テーマＴ２１，…と現在の再生画像の指定情報“Ｑ２５”“Ｑ２６”…とが記憶される。
【００４４】
なお、同一グループ“ｇ００１”内の各端末“００５３”［Ｆ１］２０ａ，“０１５３”［Ｆ２］２０ｂ，“００２１”［Ｆ３］２０ｃに対する同一画像テーマＴ２１内の再生画像の指定情報“Ｑ２５”“Ｑ２６”“Ｑ２７”は、前記画像記憶部１３に記憶された順番（例えば撮影日時順）通りに順次指定される。
【００４５】
つまり、前記図６，図７における変換テーブル１４ｂおよび端末画像テーブル１４ｃにおいて、現在、グループ情報“ｇ００１”に属する端末識別情報“００５３”“０１５３”“００２１”の各端末［Ｆ１］２０ａ，［Ｆ２］２０ｂ，［Ｆ３］２０ｃには、何れも同一の画像テーマＴ２１内で連続する一連の各画像“Ｑ２５”“Ｑ２６”“Ｑ２７”を同一の画像変換種［水墨画］で変換して再生対象に設定することを示している。
【００４６】
なお、この画像表示サーバ［Ｓ］１０において、ＣＰＵ１１が、記憶部１２に記憶されるサーバ制御プログラムに従い回路各部の動作を制御し、ハードウエアとソフトウエアが協働することにより実行される機能としては、少なくとも次の８つの機能(Ser1)〜(Ser8)が含まれる。
【００４７】
(Ser1) 各フォトフレーム端末［Ｆ１］２０ａ，［Ｆ２］２０ｂ，…から取得される位置情報“ｐ０１３”“ｐ０１５”…同士の比較により、所定範囲に含まれる端末［Ｆ１］２０ａ，［Ｆ２］２０ｂ，…をグループ化してグループ情報“ｇ００１”“ｇ００２”…を付加し、グループテーブル１４ａを生成する機能。
【００４８】
(Ser2) 変換テーブル１４ｂのグループ情報“ｇ００１”“ｇ００２”…毎に設定された再生時間の残り再生時間に従い、例えば残り再生時間が“０”になる毎に、該当のグループ情報“ｇ…”に対応付けられた各端末［Ｆｎ］…毎の再生画像［Ｔｍｘ−Ｑｍｎ］を、同一の画像テーマＴｍｘ内で画像記憶部１３に記憶されている一連の順番に従い更新し、端末画像テーブル１４ｃを生成する機能。
【００４９】
(Ser3) 前記(Ser2)の機能の実行に伴い、同一の画像テーマＴｍｘ内で、該当のグループ情報“ｇ…”に対応付けられた各端末［Ｆｎ］…の台数分の未再生画像がないと判断された場合は、同グループ情報“ｇ…”に対応付けられた端末画像テーブル１４ｃの現在の画像テーマＴｍｘを更新し、更新された画像テーマＴ(m+1)ｘに基づき、同グループ情報“ｇ…”内の各端末［Ｆｎ］…毎の再生画像［Ｔ(m+1)ｘ−Ｑｍｎ］を、前記画像記憶部１３に記憶されている一連の順番に従い新たに設定する機能。
【００５０】
(Ser4) 前記(Ser3)の機能の実行に伴い、該当のグループ情報“ｇ…”に対応付けられた端末画像テーブル１４ｃの現在の画像テーマＴｍｘが一巡したと判断された場合に、変換テーブル１４ｂの現在の画像変換種を更新する機能。
【００５１】
(Ser5) 各端末［Ｆ１］２０ａ，［Ｆ２］２０ｂ，…から取得される現方向情報“ｎ０４０”“ｎ０４５”…とその前方向情報との比較により、該当のグループ情報“ｇ…”に対応付けられた各端末［Ｆｎ］…の何れか１つ、または全ての表示方向が変更されたと判断された場合に、前記端末画像テーブル１４ｃで示される同グループ情報“ｇ…”に対応付けられた現在の画像テーマＴｍｘを更新する機能。
【００５２】
(Ser6) 前記変換テーブル１４ｂの該当のグループ情報“ｇ…”に対応付けられた現在の画像変換種で、前記端末画像テーブル１４ｃで示される該当のグループ情報“ｇ…”に対応付けられた各端末［Ｆｎ］…毎の再生画像［Ｔｍｘ−Ｑｍｎ］…を画像変換する機能。
【００５３】
(Ser7) 前記(Ser6)の機能の実行に伴い、画像変換された再生画像［Ｔｍｘ−Ｑｍｎ］…を、該当するグループ情報“ｇ…”に対応付けられた各端末［Ｆｎ］…に送信して表示させる機能。
【００５４】
(Ser8) 前記(Ser7)の機能の実行に伴い、変換テーブル１４ｂ内の該当のグループ情報“ｇ…”に対応付けられた残り再生時間を初期値にリセットする機能。
【００５５】
図８は、前記画像表示システムにおけるフォトフレーム端末［Ｆ］２０の電子回路の構成を示すブロック図である。
【００５６】
ここでは、前記図１で示した各フォトフレーム端末［Ｆ１］２０ａ，［Ｆ２］２０ｂ，…について、これを代表する符号［Ｆ］２０として説明する。
【００５７】
このフォトフレーム端末［Ｆ］２０は、コンピュータであるＣＰＵ(Central Processing Unit)２１を備えている。
【００５８】
このＣＰＵ２１には、記憶部２２、画像記憶部２３、位置計測部２４ｐ、方向検出部２４ｎ、時計回路２５、入力部２６、通信部２７、表示部２８が接続される。
【００５９】
前記ＣＰＵ２１は、前記記憶部２２に記憶された端末制御プログラム、あるいはＣＤ−ＲＯＭ、メモリカードなどの記録媒体から記憶部２２に読み込まれた端末制御プログラム、あるいは通信ネットワーク上のプログラムサーバからダウンロードされて記憶部２２に読み込まれた端末制御プログラムに従い回路各部の動作を制御する。
【００６０】
前記画像記憶部２３は、表示部２８のフレームバッファとして機能し、前記画像表示サーバ１０から設定再生時間毎に送信されてくる再生画像［Ｔｍｘ−Ｑｍｎ］の画像データが記憶される。
【００６１】
前記位置計測部２４ｐは、このフォトフレーム端末［Ｆ］２０自身の存在する位置（位置情報“ｐ…”）を高精度に計測する。
【００６２】
前記方向検出部２４ｎは、このフォトフレーム端末［Ｆ］２０自身の配置された方向（表示画面の向いた方向情報“ｎ…”）を検出する。
【００６３】
なお、このフォトフレーム端末［Ｆ］２０において、ＣＰＵ２１が、記憶部２２に記憶される端末制御プログラムに従い回路各部の動作を制御し、ハードウエアとソフトウエアが協働することにより実行される機能としては、少なくとも次の２つの機能(Fra1)(Fra2)が含まれる。
【００６４】
(Fra1) 前記画像表示サーバ［Ｓ］１０からの要求に応じて前記位置計測部２４ｐにより計測される端末［Ｆ］２０自身の位置情報“ｐ…”と前記方向検出部２４ｎにより検出される端末［Ｆ］２０自身の方向情報“ｎ…”とを送信する機能。
【００６５】
(Fra2) 前記画像表示サーバ［Ｓ］１０から受信された再生画像［Ｔｍｘ−Ｑｍｎ］の画像データを画像記憶部２３に記憶させ、表示部２８の表示画面に表示させる機能。
【００６６】
次に、前記構成の画像表示システムによる複数台のフォトフレーム端末［Ｆ１］２０ａ，［Ｆ２］２０ｂ，…を用いた統一的画像表示機能について説明する。
【００６７】
図９Ａは、前記画像表示システムの画像表示サーバ［Ｓ］１０による端末グループ生成処理（その１）を示すフローチャートである。
【００６８】
画像表示サーバ［Ｓ］１０では、ユーザによって適宜移動容易な各フォトフレーム端末［Ｆ１］２０ａ，［Ｆ２］２０ｂ，…の配置位置を常時監視してグループ化する必要がある。また、グループ化された各フォトフレーム端末［Ｆ１］２０ａ，［Ｆ２］２０ｂ，…の配置方向を常時監視し、方向変化に伴い該当グループの現在の画像テーマを更新する必要がある。このため、この端末グループ生成処理は、時計回路１５により計時される所定時間毎（例えば１分毎）に繰り返し実行される。
【００６９】
この端末グループ生成処理（その１）が起動されると、先ず、各種テーブル記憶部１４のグループテーブル１４ａ（図４参照）に記憶されている各端末［Ｆ１］２０ａ，［Ｆ２］２０ｂ，…の端末識別情報“００５３”“０１５３”…に基づき、当該各端末［Ｆ１］２０ａ，［Ｆ２］２０ｂ，…に対して位置情報と方向情報の取得要求が順次送信される。
【００７０】
そして、前記位置情報と方向情報の取得要求に応答して、各端末［Ｆ１］２０ａ，［Ｆ２］２０ｂ，…からその位置情報“ｐ０１３”“ｐ０１５”…と方向情報“ｎ０４０”“ｎ０４５”…が受信されると（ステップＳ１（Ｙｅｓ））、前記グループテーブル１４ａの該当する端末識別情報“００５３”“０１５３”…に対応付けられて記憶される現方向情報が前方向情報として書き替えられた後（ステップＳ４ａ）、受信された位置情報“ｐ０１３”“ｐ０１５”…と（現）方向情報“ｎ０４０”“ｎ０４５”…が、同グループテーブル１４ａの端末識別情報“００５３”“０１５３”…に対応付けられて記憶される（ステップＳ４ｂ）。
【００７１】
なお、前記位置情報と方向情報の取得要求を送信した端末［Ｆｎ］からの応答が無く、その位置情報“ｐ…”と方向情報“ｎ…”が受信されない場合には（ステップＳ１（Ｎｏ））、位置情報無しの情報（例えば“ｐ９９９”）と方向情報無しの情報（例えば“ｎ９９９”）が、前記グループテーブル１４ａの該当する端末識別情報（例えば“０２３１”）に対応付けられて記憶される（ステップＳ２）。
【００７２】
この後、前記グループテーブル１４ａに記憶されている各端末［Ｆ１］２０ａ，［Ｆ２］２０ｂ，…の全ての端末識別情報“００５３”“０１５３”…に対応する位置情報“ｐ…”および方向情報“ｎ…”の取得とその記憶が完了したと判断されると（ステップＳ３（Ｙｅｓ））、当該グループテーブル１４ａ内の各端末識別情報“００５３”“０１５３”…に対応付けられたデータが、各位置情報“ｐ０１３”“ｐ０１５”…に基づいて、例えば画像表示サーバ［Ｓ］１０に最も近い位置情報“ｐ０１３”を先頭にしてソートされる（ステップＳ５）。
【００７３】
ここで、前記グループテーブル１４ａのアドレスを“ｉ”とし、その先頭アドレスｉ（＝００１番地）の仮グループ情報の記憶エリアに初期値“ｋ００１”が記憶される（ステップＳ６）。
【００７４】
すると、前記グループテーブル１４ａにおけるｉ（＝００１番地）の位置情報“ｐ０１３”とｉ＋１（＝００２番地）の位置情報“ｐ０１５”とが比較され（ステップＳ７）、各位置情報が相対的に近接した所定の範囲内にあるか否か判断される（ステップＳ８）。
【００７５】
各位置情報“ｐ０１３”と“ｐ０１５”とが所定の範囲内にあると判断された場合には（ステップＳ８（Ｙｅｓ））、ｉ＋１（＝００２番地）の仮グループ情報としてｉ（＝００１番地）と同じ仮グループ情報“ｋ００１”が記憶される（ステップＳ９）。
【００７６】
そして、アドレスｉがインクリメント（ｉ＋１）されてｉ（＝００２番地）とされ（ステップＳ１０）、ｉに対応するグループテーブル１４ａのアドレスが終了したか否か判断される（ステップＳ１１）。
【００７７】
ここでは、ｉ（＝００２番地）であり、グループテーブル１４ａのアドレスは終了していないと判断されると（ステップＳ１１（Ｎｏ））、同ｉにアドレスされるメモリエリアの端末識別情報に位置情報が無いか有るか判断される（ステップＳ１２）。
【００７８】
ここでは、ｉ（＝００２番地）の端末識別情報“０１５３”に対応付けられた位置情報“ｐ０１５”が有ると判断されるので（ステップＳ１２（Ｎｏ））、前記ステップＳ７からの処理に戻る。
【００７９】
すると、前記グループテーブル１４ａにおけるｉ（＝００２番地）の位置情報“ｐ０１５”とｉ＋１（＝００３番地）の位置情報“ｐ０１６”とが比較され（ステップＳ７）、各位置情報が相対的に近接した所定の範囲内にあるか否か判断される（ステップＳ８）。
【００８０】
この場合も、各位置情報“ｐ０１５”と“ｐ０１６”とは所定の範囲内にあると判断され（ステップＳ８（Ｙｅｓ））、ｉ＋１（＝００３番地）の仮グループ情報としてｉ（＝００２番地）と同じ仮グループ情報“ｋ００１”が記憶される（ステップＳ９）。
【００８１】
この後、前記同様にステップＳ７〜Ｓ１２の処理が繰り返され、インクリメントされたｉ（＝００３番地）の位置情報“ｐ０１６”とｉ＋１（＝００４番地）の位置情報“ｐ０２１”とが比較された際に（ステップＳ７）、各位置情報が相対的に近接した所定の範囲内にないと判断されると（ステップＳ８（Ｎｏ））、現在の仮グループ情報“ｋ００１”が“ｋ００２”に更新される（ステップＳ１３）。
【００８２】
そして、ｉ＋１（＝００４番地）の仮グループ情報として前記更新された仮グループ情報“ｋ００２”が記憶される（ステップＳ１４）。
【００８３】
すなわち、前記ステップＳ７〜Ｓ１４の処理が繰り返し実行されることで、位置情報“ｐ…”に基づきソートされた各端末識別情報“００５３”“０１５３”…に対応付けて、所定の範囲内に有ると判断された端末の範囲には同じ仮グループ情報“ｋ…”が記憶され、所定の範囲内にないと判断された端末の範囲からは更新された仮グループ情報“ｋ…”が記憶される。
【００８４】
これにより、所定の範囲内に配置された各端末［Ｆ］２０…の端末識別情報には、同じ仮グループ情報“ｋ…”が対応付けられてグループ化されることになる。
【００８５】
この後、前記ステップＳ１０にてインクリメントされたグループテーブル１４ａのアドレスｉが、例えば最終アドレスになった際に、ステップＳ１２において、端末識別情報“０２３１”に対応する位置情報として、“ｐ９９９”が記憶されていることで、位置情報無しと判断されると（ステップＳ１２（Ｙｅｓ））、当該ｉ以降のアドレスに対応する仮グループ情報とグループ情報のメモリエリアに、“ｎｕｌｌ”コードが記憶される（ステップＳ１５）。
【００８６】
こうして、前記グループテーブル１４ａのｉ以降のアドレスに対応する仮グループ情報とグループ情報のメモリエリアに、“ｎｕｌｌ”コードが記憶されるか（ステップＳ１５）、または前記ステップＳ１０においてインクリメントされた“ｉ”に対応するグループテーブル１４ａのアドレスが終了したと判断されると（ステップＳ１１（Ｙｅｓ））、前記仮グループ情報の設定が終了し、図９ＢにおけるステップＳ１６以降の処理に進む。なお、図４のグループテーブル１４ａに記載している各情報は以上の処理を行った状態で記憶されている情報である。
【００８７】
図９Ｂは、前記画像表示システムの画像表示サーバ［Ｓ］１０による端末グループ生成処理（その２）を示すフローチャートである。
【００８８】
この端末グループ生成処理（その２）に移行されると、先ず、前記グループテーブル１４ａの先頭から同じ仮グループ情報“ｋ…”の範囲が読み出され（ステップＳ１６）、当該同じ仮グループ情報“ｋ…”の範囲内に既にグループ情報“ｇ…”が対応付けされた仮グループ情報があるか否か判断される（ステップＳ１７）。
【００８９】
ここで、同じ仮グループ情報“ｋ…”の範囲内に既にグループ情報“ｇ…”が対応付けされた仮グループ情報がないと判断された場合、つまり当該同じ仮グループ情報“ｋ…”の範囲に対応する各フォトフレーム端末［Ｆ］２０…は、何れも前記画像表示サーバ［Ｓ］１０の管理対象として新たに配置されたものであると判断されると（ステップＳ１７（Ｎｏ））、グループテーブル１４ａには現在存在しない新規のグループ情報“ｇ…”が生成され、当該同じ仮グループ情報“ｋ…”の範囲に対応付けられて記憶される（ステップＳ１８）。
【００９０】
すると、前記新規のグループ情報“ｇ…”に対して、ランダムに選択された画像変換種の変換順が設定されると共に、その先頭の変換種を現在の変換種とし、予め設定された再生時間、残り再生時間“０．００”を対応付けた変換テーブル１４ｂが生成される（ステップＳ１９）。
【００９１】
一方、前記グループテーブル１４ａ（図４参照）における同じ仮グループ情報“ｋ００１”の範囲が読み出され（ステップＳ１６）、当該同じ仮グループ情報“ｋ００１”の範囲内に既にグループ情報“ｇ００１”が対応付けされた仮グループ情報があると判断された場合には（ステップＳ１７（Ｙｅｓ））、当該同じ仮グループ情報“ｋ００１”の範囲内で最も多いグループ情報“ｇ００１”に、他のグループ情報が書き替えられる（ステップＳ２０）。
【００９２】
具体的には、前記同じ仮グループ情報“ｋ００１”の範囲内で、新たに配置されたフォトフレーム端末［Ｆ３］２０ｃの端末識別情報“００２１”に対応付けられたグループ情報のブランク“−”が、グループ情報“ｇ００１”に書き替えられる。
【００９３】
こうして、前記グループテーブル１４ａにおける同じ仮グループ情報“ｋ００１”の範囲に対応するグループ情報“ｇ００１”が設定され、当該グループ情報“ｇ００１”に対応する変換テーブル１４ｂも生成されると、該当グループ“ｇ００１”内の各端末［Ｆ１］２０ａ，［Ｆ２］２０ｂ，［Ｆ３］２０ｃに対応する端末画像テーブル１４ｃ（図７参照）が生成される（ステップＳ２１）。
【００９４】
具体的には、前記端末画像テーブル１４ｃにおける該当するグループ情報“ｇ００１”の各端末識別情報“００５３”“０１５３”“００２１”に対応する現在の画像テーマと現在の再生画像について、新規の端末配置に伴い未設定のところがある場合は、予め初期設定されるか、若しくはランダム設定された現在の画像テーマＴｍｘと現在の再生画像の指定情報“Ｑｍｎ”が書き込まれる。この際、同一グループ情報“ｇ００１”に属する各端末識別情報“００５３”“０１５３”“００２１”に対応するところの現在の画像テーマには、同一の画像テーマＴ２１が書き込まれ、当該各端末それぞれの現在の再生画像（指定情報）には、該当する画像テーマＴ２１で画像記憶部１３に記憶されている一連の各画像Ｑ２１−Ｑ２ｎの中から、その記憶順（例えば撮影日時順）に従った画像（指定情報）“Ｑ２５”“Ｑ２６”“Ｑ２７”が順に書き込まれる。
【００９５】
すると、該当するグループ情報“ｇ００１”に属する各端末識別情報“００５３”“０１５３”“００２１”に対応するところの現方向情報と前方向情報とが比較され、その表示方向に変更有ったか無いかが判断される（ステップＳ２１ａ）。
【００９６】
そして、同一グループ情報“ｇ００１”に属する各端末［Ｆ１］２０ａ，［Ｆ２］２０ｂ，［Ｆ３］２０ｃの何れか又は全てについて、表示方向に変更が有ったと判断された場合は（ステップＳ２１ａ（変更有り））、該当グループ“ｇ００１”内の現在の画像テーマＴ２１が次の画像テーマＴ３１あるいはランダムに選択された別の画像テーマＴｍｘに更新される（ステップＳ２１ｂ）。
【００９７】
ここで、グループテーブル１４ａから読み出された仮グループ情報“ｋ…”が最後の仮グループ情報であるか、または“ｎｕｌｌ”であるかが判断され（ステップＳ２２）、そうでないと判断された場合は（ステップＳ２２（Ｎｏ））、次の同じ仮グループ情報“ｋ００２”の範囲が読み出される（ステップＳ２３）。
【００９８】
そして、当該次の同じ仮グループ情報“ｋ００２”の範囲に対応するところのグループ情報“ｇ００２”の生成処理、変換テーブル１４ｂの生成処理、端末画像テーブル１４ｃの生成処理、端末方向変更に応じた画像テーマＴｍｘの更新処理が、前記同様に繰り返される（ステップＳ１７〜Ｓ２１ｂ）。
【００９９】
この後、グループテーブル１４ａから読み出された仮グループ情報“ｋ…”が最後のグループ情報である、または“ｎｕｌｌ”であると判断されると（ステップＳ２２（Ｙｅｓ））、前記グループテーブル１４ａに設定されたグループ情報“ｇ…”と前記変換テーブル１４ｂに設定されたグループ情報“ｇ…”とが比較され、当該グループテーブル１４ａに存在しないグループ情報に対応するところの変換テーブル１４ｂのデータが削除される（ステップＳ２４）。
【０１００】
そして、前記グループテーブル１４ａにおける全ての仮グループ情報“ｋ…”が削除され（ステップＳ２５）、前記一連の端末グループ生成処理は終了される（ＥＮＤ）。
【０１０１】
こうして、各フォトフレーム端末［Ｆ１］２０ａ，［Ｆ２］２０ｂ，…の位置情報“ｐ０１３”“ｐ０１５”…に基づいて、当該各端末［Ｆ１］２０ａ，［Ｆ２］２０ｂ，…が、互いに近接する所定範囲毎のグループ情報“ｇ００１”“ｇ００２”…によって管理されると共に、グループ毎の画像変換種とその変換順、現在の変換種、現在の画像テーマＴｍｘ、グループ内各端末に一連の再生画像（指定情報）“Ｑｍｎ”“Ｑｍ(n+1)”“Ｑｍ(n+2)”、１画像表示に伴う再生時間が設定される。
【０１０２】
図１０は、前記画像表示システムの画像表示サーバ［Ｓ］１０による画像出力処理を示すフローチャートである。
【０１０３】
画像表示サーバ［Ｓ］１０では、前記変換テーブル１４ｂに設定された再生時間毎に、当該再生時間に対応するグループ内の各フォトフレーム端末［Ｆ］２０，…に表示させる一連の画像を更新する必要があるため、この画像出力処理は、時計回路１５による計時時間に基づき、同変換テーブル１４ｂに設定された最短の再生時間よりも短い所定時間毎（例えば１分毎）に繰り返し実行されるか、あるいは同変換テーブル１４ｂに記憶される何れかのグループの残り再生時間が所定値（例えば“０”）になる毎に繰り返し実行される。
【０１０４】
この画像出力処理が起動されると、先ず、変換テーブル１４ｂ（図６参照）に記憶されている残り再生時間が最も少ないところのグループ情報“ｇ００１”が読み出され（ステップＰ１）、当該グループ情報“ｇ００１”に対応付けられて端末画像テーブル１４ｃに記憶されている各端末識別情報“００５３”“０１５３”“００２１”の数、つまり該当グループ“ｇ００１”内の端末数（この場合は“３”）が検出される（ステップＰ２）。
【０１０５】
すると、該当するグループ情報“ｇ００１”に対応付けられた現在の画像テーマＴ２１内の一連の各画像Ｑ２１−Ｑ２ｎの中で、未だ再生画像として指定されていない前記端末数分の連続する画像が残されているか否かが判断される（ステップＰ３）。
【０１０６】
ここで、画像記憶部１３に記憶されている現在の画像テーマＴ２１内の一連の各画像Ｑ２１−Ｑ２ｎの中で、未だ再生画像として指定されていない前記端末数分の連続する画像が残されていないと判断された場合は（ステップＰ３（Ｎｏ））、当該画像記憶部１３から次の画像テーマＴ３１が読み出され（ステップＰ４）、現在の画像テーマとして前記端末画像テーブル１４ｃの該当するグループ情報“ｇ００１”の各端末［Ｆ１］［Ｆ２］［Ｆ３］（端末識別情報）に対応付けられて書き込まれる（ステップＰ５）。
【０１０７】
そして、前記端末画像テーブル１４ｃに書き込まれた現在の画像テーマＴ３１に対応付けられて画像記憶部１３に記憶されている最初の連続する３つの再生画像Ｑ３１，Ｑ３２，Ｑ３３が読み出され、当該端末画像テーブル１４ｃの該当する各端末［Ｆ１］［Ｆ２］［Ｆ３］（端末識別情報）にそれぞれ対応付けられた現在の再生画像の指定情報“Ｑ３１”“Ｑ３２”“Ｑ３３”として順次書き込まれる（ステップＰ６）。
【０１０８】
一方、前記ステップＰ３において、現在の画像テーマＴ２１内の一連の各画像Ｑ２１−Ｑ２ｎの中で、未だ再生画像として指定されていない前記端末数分の連続する次の画像が残されていると判断された場合は（ステップＰ３（Ｙｅｓ））、当該連続する次の３つの再生画像Ｑｍ(n+1)，Ｑｍ(n+2)，Ｑｍ(n+3)が読み出され、前記端末画像テーブル１４ｃの該当する各端末［Ｆ１］［Ｆ２］［Ｆ３］（端末識別情報）にそれぞれ対応付けられた現在の再生画像の指定情報“Ｑｍ(n+1)”“Ｑｍ(n+2)”“Ｑｍ(n+3)”として順次書き込まれる（ステップＰ６）。
【０１０９】
なお、前記ステップＰ３の処理に替えて、該当するグループ情報“ｇ００１”に対応付けられた現在の画像テーマＴ２１内の一連の各画像Ｑ２１−Ｑ２ｎが全て再生画像として指定されたか否かを判断し、全て指定されたと判断された場合に、前記ステップＰ４，Ｐ５の処理に進み、現在の画像テーマを更新させてもよい。
【０１１０】
図１１は、前記画像表示サーバ［Ｓ］１０の画像出力処理に伴い同一グループ内の各フォトフレーム端末［Ｆ１］［Ｆ２］［Ｆ３］にて所定の再生時間毎に更新されて表示される一連の再生画像データを説明する図である。
【０１１１】
すなわち、例えば同一のグループ“ｇ００１”に属する３つのフォトフレーム端末［Ｆ１］［Ｆ２］［Ｆ３］に対しては、この画像出力処理が実行される毎に、同一の画像テーマＴ２１内の一連の各画像Ｑ２１−Ｑ２ｎの中から当該３つの端末数分の連続する各画像が読み出され、例えばＱ２５，Ｑ２６，Ｑ２７の各再生画像が指定された次は、Ｑ２８，Ｑ２９，Ｑ３０と連続する各再生画像が指定される。
【０１１２】
ここで、前記ステップＰ４，Ｐ５の処理に従い書き替えられた端末画像テーブル１４ｃにおける該当のグループ情報“ｇ…”に対応付けられた現在の画像テーマＴｍｘが、画像記憶部１３における全ての画像テーマを一巡したと判断されると（ステップＰ７（Ｙｅｓ））、変換テーブル１４ｂの同グループ情報“ｇ…”に対応付けられた現在の画像変換種が、その変換順に従った次の変換種に更新される（ステップＰ８）。
【０１１３】
このように、前記ステップＰ１〜Ｐ８の処理に従い、変換テーブル１４ｂにおける残り再生時間が最も少ないところのグループ情報、例えば、図６の変換テーブル１４ｂの例では、“ｇ００１”に属する各端末［Ｆ１］“００５３”，［Ｆ２］“０１５３”，［Ｆ３］“００２１”それぞれの現在の再生画像Ｑｍｎ，Ｑｍ(n+1)，Ｑｍ(n+2)が、現在の画像テーマＴｍｘ内で連続する画像として順次更新され、また同グループ情報“ｇ００１”に対応する現在の画像テーマＴｍｘが一巡した場合には現在の画像変換種も更新される。
【０１１４】
すると、前記再生時間が最も少ないところのグループ情報“ｇ００１”に属する各端末［Ｆ１］“００５３”，［Ｆ２］“０１５３”，［Ｆ３］“００２１”それぞれの更新された現在の再生画像Ｑ２５，Ｑ２６，Ｑ２７が画像記憶部１３から読み出され、現在の画像変換種「水墨画」により何れも水墨画調の画像に変換される（ステップＰ９）。
【０１１５】
この後、前記変換テーブル１４ｂにて管理される前記グループ情報“ｇ００１”の残り再生時間が“０”になり、次の再生時間になったと判断されると（ステップＰ１０）、前記現在の画像変換種「水墨画」にて水墨画調の画像に変換された同一画像テーマＴ２１内で連続する各再生画像Ｑ２５，Ｑ２６，Ｑ２７が、それぞれ対応するフォトフレーム端末［Ｆ１］“００５３”２０ａ，［Ｆ２］“０１５３”２０ｂ，［Ｆ３］“００２１”２０ｃに対し、所定時間毎（例えば、数秒毎）に順番に送信される（ステップＰ１１〜Ｐ１３）。
【０１１６】
そして、前記グループ情報“ｇ００１”に属する全ての端末［Ｆ１］２０ａ〜［Ｆ３］２０ｃに対する変換画像の送信が終了したと判断されると（ステップＰ１２（Ｙｅｓ））、前記変換テーブル１４ｂの残り再生時間が、再生時間と同じ初期値に設定され（ステップＰ１４）、前記一連の画像出力処理が終了される（ＥＮＤ）。
【０１１７】
これにより、前記変換テーブル１４ｂにて管理される残り再生時間が“０”になったグループ“ｇ…”に対応する各フォトフレーム端末［Ｆｎ］２０…に対して、当該端末［Ｆｎ］２０…毎に、統一された画像テーマＴｍｘ内で更新された次の一連の各画像が画像記憶部１３から順番に読み出され、統一された画像変換種で画像変換され送信されるようになる。
【０１１８】
図１２は、前記画像表示システムの各フォトフレーム端末［Ｆ１］２０ａ，［Ｆ２］Ｆ２，…による端末処理を示すフローチャートである。
【０１１９】
フォトフレーム端末［Ｆ］２０において、前記画像表示サーバ［Ｓ］１０の端末グループ生成処理（その１）［図９Ａ参照］に従い送信された位置情報と方向情報の取得要求が受信されると（ステップＴ１（Ｙｅｓ））、これに応答して位置計測部２４ｐにより計測された現在位置の位置情報“ｐ…”と方向検出部２４ｎにより検出された現在の方向情報“ｎ…”が前記画像表示サーバ［Ｓ］１０へ送信される（ステップＴ２）。
【０１２０】
そしてこの後、前記画像表示サーバ［Ｓ］１０の画像出力処理［図１０参照］に従い送信された再生画像Ｑｍｎが受信されると（ステップＴ３（Ｙｅｓ））、この受信された再生画像Ｑｍｎは画像記憶部２３に更新されて記憶され（ステップＴ４）、表示部２８の表示画面に出力されて表示される（ステップＴ５）。
【０１２１】
なお、前記図９ＢのステップＳ２１ａ，Ｓ２１ｂに従い説明した同一グループ内の各端末［Ｆ１］２０ａ，［Ｆ２］２０ｂ，［Ｆ３］２０ｃの方向変更に伴い同グループ内で表示させる画像テーマを変更する処理は、例えば図１３の端末配置方向／画像テーマ設定テーブル１４Ｔに示すように、同一グループ内の各端末［Ｆ１］２０ａ，［Ｆ２］２０ｂ，［Ｆ３］２０ｃ相互の相対的な方向差分の組合せに応じて予め設定された画像テーマに変更する構成としてもよい。
【０１２２】
図１３は、前記画像表示サーバ［Ｓ］１０の各種テーブル記憶部１４に記憶される端末配置方向／画像テーマ設定テーブル１４Ｔを示す図である。
【０１２３】
また、前記図１０のステップＰ７，Ｐ８に従い説明したように、同一グループ内の各端末［Ｆ１］２０ａ，［Ｆ２］２０ｂ，［Ｆ３］２０ｃに表示させる一連の各画像に対する統一された画像の変換種は、当該グループにて表示させる画像テーマが一巡した場合に、予め設定された変換順の次の画像変換種に更新する構成とした。これ以外に、例えば図１４の端末配置方向／画像変換種設定テーブル１４Ｈに示すように、同一グループ内の各端末［Ｆ１］２０ａ，［Ｆ２］２０ｂ，［Ｆ３］２０ｃ相互の相対的な方向差分の組合せに応じて予め設定された画像変換種に変更する構成としてもよい。
【０１２４】
図１４は、前記画像表示サーバ［Ｓ］１０の各種テーブル記憶部１４に記憶される端末配置方向／画像変換種設定テーブル１４Ｈを示す図である。
【０１２５】
したがって、前記構成の画像表示システムによれば、画像表示サーバ［Ｓ］１０は、複数台のフォトフレーム端末［Ｆ１］２０ａ，［Ｆ２］２０ｂ，…各々の位置情報“ｐ…”を受信し、相互に近接した所定範囲に含まれる端末［Ｆ１］２０ａ，［Ｆ２］２０ｂ，…同士をグループ化して管理する。そして、同一グループ内の各端末［Ｆ１］２０ａ，［Ｆ２］２０ｂ，…に対応してグループ毎に同じ画像テーマ内で順次更新される端末数分の一連（例えば撮影日時順）の各画像が画像記憶部１３から読み出され、グループ毎に同じ変換種の画像変換が施された後、この一連の各画像が各対応する端末［Ｆ１］２０ａ，［Ｆ２］２０ｂ，…に送信されて表示される。
【０１２６】
このため、複数台のフォトフレーム端末［Ｆ１］２０ａ，［Ｆ２］２０ｂ，…を近接して配置した場合に、各端末［Ｆ１］２０ａ，［Ｆ２］２０ｂ，…にて隣接して表示される各画像を、同じ画像テーマ内で連続する一連の画像にするのと共に、同じ画像変換種で統一し、全体として連続性のある調和のとれた表示にすることが可能になる。
【０１２７】
また、前記構成の画像表示システムによれば、画像表示サーバ［Ｓ］１０は、複数台のフォトフレーム端末［Ｆ１］２０ａ，［Ｆ２］２０ｂ，…各々の方向情報“ｎ…”を受信し、同一グループ内の各端末［Ｆ１］２０ａ，［Ｆ２］２０ｂ，…の何れか又は全てにおいて方向の変更が有った場合には、該当グループの画像テーマを更新する。
【０１２８】
このため、入力部１６を操作して画像テーマの変更作業を行う必要なく、画像テーマを変更したいグループ内の端末［Ｆｎ］の向きを変えるだけで、非常に簡単に当該グループ内の各端末［Ｆｎ］…に表示させる一連の再生画像の画像テーマを、別の画像テーマに変更することができる。
【０１２９】
また、前記構成の画像表示システムによれば、同一グループ内の各端末［Ｆ１］２０ａ，［Ｆ２］２０ｂ，…に対して、画像表示の再生時間毎に同一の画像テーマ内で更新して送信する一連の各画像は、所定時間毎に、当該各端末［Ｆ１］２０ａ，［Ｆ２］２０ｂ，…の位置情報“ｐ００５３”“ｐ０１５３”…に従った順番で送信される。
【０１３０】
このため、同一グループ内の各端末［Ｆ１］２０ａ，［Ｆ２］２０ｂ，…にて、統一された画像テーマ内で表示される一連の各画像は、その配置位置の順に順序よく切り替えられるようになる。
【０１３１】
さらに、前記構成の画像表示システムによれば、前記図９Ａ，図９Ｂを参照して説明した端末グループ生成処理により、複数台のフォトフレーム端末［Ｆ１］２０ａ，［Ｆ２］２０ｂ，…を、その配置位置に従って相互に近接する所定範囲毎にグループ化する処理は、所定時間毎に繰り返し実行される。
【０１３２】
このため、システム内に配置されるフォトフレーム端末［Ｆ１］２０ａ，［Ｆ２］２０ｂ，…が移動あるいは撤去されたり、新たに追加されたりした場合でも、適切にグループ化して管理することができる。
【０１３３】
なお、前記実施形態におけるフォトフレーム端末［Ｆ１］２０ａ，［Ｆ２］２０ｂ，…は、ＰＣなどの画像が表示できる端末であればよい。
【０１３４】
また、前記実施形態におけるフォトフレーム端末［Ｆ１］２０ａ，［Ｆ２］２０ｂ，…の位置計測部２４ｐは、ＧＰＳであるとして説明したが、例えば、近接無線で互いの通信電波の強弱から近接状況を求め、これを互いの位置情報“ｐ…”として画像表示サーバ［Ｓ］１０に送信してもよい。
【０１３５】
また、前記実施形態において説明した各フォトフレーム端末［Ｆ１］２０ａ，［Ｆ２］２０ｂ，…同士が近接するとの意味は、その位置情報が略同じである場合も含まれる。
【０１３６】
また、前記実施形態におけるフォトフレーム端末［Ｆ１］２０ａ，［Ｆ２］２０ｂ，…の方向検出部２４ｎは、方位センサであるとし、表示部の表示画面の水平方向の向きを検出するものとして説明したが、水準器なども加えて、表示部の表示画面の垂直方向の向きも合わせて検出する構成としてもよい。
【０１３７】
また、前記実施形態において、グループ毎に設定される画像テーマの切り替えの順序は、予め設定された順序かランダムに設定された順序かの何れでもよい。
【０１３８】
また、前記実施形態の端末画像テーブル１４ｃにおいて、各端末識別情報に対応付けて初期に設定される現在の画像テーマＴｍｘ内の一連の各再生画像（指定情報）“Ｑｍｎ” “Ｑｍ(n+1)”“Ｑｍ(n+2)”…は、画像記憶部１３の該当する画像テーマＴｍｘ内のランダムな画像から端末数分順に選択されて設定されるか、画像テーマＴｍｘ毎に予め設定された画像から端末数分順に選択されて設定されるかの何れでもよい。
【０１３９】
また、前記実施形態では、同一グループ“ｇ…”に属する各フォトフレーム端末［Ｆ１］２０ａ，［Ｆ２］２０ｂ，［Ｆ３］２０ｃ，…の一連の再生画像“Ｑｍｎ”“Ｑｍ(n+1)”“Ｑｍ(n+2)”…は、例えば風景画という同じ画像テーマの中の画像であって、例えば水墨画調という同じ画像変換種で変換して表示した。これに対し、同一グループ“ｇ…”に属する各端末［Ｆ１］２０ａ，［Ｆ２］２０ｂ，［Ｆ３］２０ｃ，…の一連の再生画像“Ｑｍｎ”“Ｑｍ(n+1)”“Ｑｍ(n+2)”…を、同じ画像テーマの中の画像として設定しさえすれば、異なる画像変換種で変換して表示しても、全体として連続性のある調和のとれた画像として表示できるのは勿論である。
【０１４０】
また、前記実施形態の画像表示サーバ［Ｓ］１０による画像出力処理（図１０  ステップＰ１１〜Ｐ１３）において、同一グループ“ｇ…”内の各端末［Ｆ１］２０ａ，［Ｆ２］２０ｂ，…に対して送信する一連の各画像は、所定時間毎に順番に送信するのではなく、ほぼ同時に送信して切り替え表示させてもよい。この場合は、同じグループ内のフォトフレーム端末に表示される画像の表示開始タイミングは同時である。
【０１４１】
また、前記実施形態の画像表示システムにおけるフォトフレーム端末［Ｆ１］２０ａ，［Ｆ２］２０ｂ，…を、シンクライアント端末装置とすることで、当該端末装置側で画像が複製されるのを防止する構成としてもよい。この場合、各端末装置の位置情報“ｐ…”と方向情報“ｎ…”は、画像表示サーバ［Ｓ］１０へのログオン時に送信すればよい。
【０１４２】
さらに、前記実施形態の画像表示システムでは、画像表示サーバ［Ｓ］１０は各フォトフレーム端末［Ｆ１］２０ａ，［Ｆ２］２０ｂ，…と別体のものとして構成したが、何れかのフォトフレーム端末［Ｆｎ］２０が当該画像表示サーバ［Ｓ］１０の機能を併せ持つ構成としてもよい。
【０１４３】
なお、前記実施形態において記載した画像表示システムによる各処理の手法、すなわち、図９Ａ，図９Ｂのフローチャートに示す画像表示サーバ［Ｓ］１０による端末グループ生成処理、図１０のフローチャートに示す前記画像表示サーバ「Ｓ」１０による画像出力処理、図１２のフローチャートに示すフォトフレーム端末［Ｆ］２０…による端末処理などの各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の記録媒体に格納して配布することができる。そして、サーバ（１０）や表示端末（２０…）のコンピュータ（ＣＰＵ１１，２１）は、この記録媒体に記憶されたプログラムを記憶装置（１２，２２）に読み込み、この読み込んだプログラムによって動作が制御されることにより、前記各実施形態において説明した複数台の表示端末（２０…）に対するグループ化機能およびグループ毎の一連画像生成出力機能を実現し、前述した手法による同様の処理を実行することができる。
【０１４４】
また、前記各手法を実現するためのプログラムのデータは、プログラムコードの形態として通信ネットワーク上を伝送させることができ、この通信ネットワークに接続されたコンピュータ装置（プログラムサーバ）から前記のプログラムデータを取り込んで記憶装置（１２，２２）に記憶させ、前述した複数台の表示端末（２０…）に対するグループ化機能およびグループ毎の一連画像生成出力機能を実現することもできる。
【０１４５】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【０１４６】
１０  …画像表示サーバ［Ｓ］
２０ａ〜２０ｆ…フォトフレーム端末［Ｆ１］〜［Ｆ６］
１１，２１…ＣＰＵ
１２，２２…記憶部
１３，２３…画像記憶部
１４  …各種テーブル記憶部
１４ａ…グループテーブル
１４ｂ…変換テーブル
１４ｃ…端末画像テーブル
２４ｐ…位置計測部
２４ｎ…方向検出部
１５，２５…時計回路
１６，２６…入力部
１７，２７…通信部
１８，２８…表示部
【図１】
2012098835.tif 000003
【図２】
2012098835.tif 000004
【図３】
2012098835.tif 000005
【図４】
2012098835.tif 000006
【図５】
2012098835.tif 000007
【図６】
2012098835.tif 000008
【図７】
2012098835.tif 000009
【図８】
2012098835.tif 000010
【図９Ａ】
2012098835.tif 000011
【図９Ｂ】
2012098835.tif 000012
【図１０】
2012098835.tif 000013
【図１１】
2012098835.tif 000014
【図１２】
2012098835.tif 000015
【図１３】
2012098835.tif 000016
【図１４】
2012098835.tif 000017